(57)【要約】      （修正有）【課題】皮膚移植片の移植の最中に流体を管理するための方法および装置が開示されている。【解決手段】皮膚移植片を移植するための吸収性基材１０であって、少なくとも１つの切除された皮膚移植片に接触し、かつドナー部位から除去するために移植片に係合するように適合された面と、囲い内に配置された吸収性材料を少なくとも部分的に取り囲むシーリング部材とを有し、皮膚接触面の少なくとも一部分が多孔質であり、吸収性層と流体連通して流体を捕捉する吸収性基材。【選択図】図１
2019048104.tif 000002
【特許請求の範囲】
【請求項１】
皮膚移植片を移植するための吸収性基材において、
少なくとも１つの切除された皮膚移植片と接触しかつドナー部位から除去するために前記移植片を捕捉するように適合された少なくとも１つの接着剤部位を有するベース層と；
前記ベース層に周辺で接合されかつそれとの間にシールされた囲いを規定するシーリング部材と；
前記シールされた囲い内に配置された吸収性材料と
を含み、
前記ベース層の少なくとも一部分は多孔質であり、かつ前記吸収性材料と流体連通して、流体を捕捉することを特徴とする、吸収性基材。
【発明の詳細な説明】
【技術分野】
【０００１】
関連出願の相互参照
本出願は、２０１３年７月３１日出願の米国仮特許出願第６１／８６０，８２２号（「Ａｂｓｏｒｂｅｎｔ  Ｓｕｂｓｔｒａｔｅｓ  Ｆｏｒ  Ｈａｒｖｅｓｔｉｎｇ  Ｓｋｉｎ  Ｇｒａｆｔｓ」）、および２０１３年３月１４日出願の米国仮特許出願第６１／７８２，３８５号（「Ａｂｓｏｒｂｅｎｔ  Ｄｒｅｓｓｉｎｇ  Ｗｉｔｈ  Ｈｙｂｒｉｄ  Ｄｒａｐｅ」）の優先権を主張し、その開示全体を、参照することにより本書に援用する。
【０００２】
本発明は、概して、治療システムに関し、より詳細には、限定されるものではないが、吸収性ドレッシング、皮膚移植片を採取および移植するためのシステムおよび方法に関する。
【背景技術】
【０００３】
皮膚は人体の最大の器官であり、ヒトの全体重の約１６％を占める。皮膚は環境との境界面を形成するため、生体防御において重要な機能を果たし、病原体および他の環境物質からの解剖学的障壁の役目を務める。皮膚はまた、半透過性の障壁を提供し、それにより、過度の流体の消失を防ぐ一方で必須栄養素が身体から消え失せないようにすることを保証する。皮膚の他の機能は、隔離、温度調節、および感覚を提供する。皮膚組織は、熱傷、外傷、疾患、および脱色を含む、多くの形態の損傷を被り得る。
【０００４】
そのような皮膚損傷を修復するために皮膚移植片が使用されることが多い。皮膚移植は、皮膚区域が、人の身体の一領域から取り出されるか（自家移植片）、別の人間から取り出されるか（同種移植片）、または別の動物から取り出されて（異種移植片）、患者のレシピエント部位、例えば創傷部位に移植される外科的処置である。どの外科的処置とも同様に、皮膚移植はいくつかの危険性を伴う。合併症には、移植片不全、皮膚移植片の拒絶反応、出血、ドナーまたはレシピエント部位のいずれかにおける流体貯留や感染を含み得る。さらに、移植片を作り出すために自家移植片が人の身体の一領域から取られると、ドナー部位には、ある程度の外傷が生じる。レシピエント部位が大きな創傷であるか、またはその代わりに損傷された皮膚領域である場合、ドナー部位の外傷は、重要とし得る。
【０００５】
ドナー部位の外傷を減らすために、多数の小さな移植片、例えば、いわゆる微小移植片（ｍｉｃｒｏｇｒａｆｔ）を採取するための技術が開発されている。ドナー部位において、わずかな皮膚のみを除去し、かつ切除領域の周囲の健康な皮膚領域を残すことによって、不快感を減らして、移植用に大量の皮膚を獲得できる。微小移植片採取はまた、治癒時間を短縮し、かつ感染の危険性を低減させる。
【０００６】
皮膚移植片の採取は、多くの異なる方法によって成し遂げられ得る。１つの一般的な皮膚移植片の採取技術は、吸引を行って、皮膚の表面部分、例えば表皮と、基底細胞層とを、下部の真皮から離すことを含む。吸引水疱の採取はまた、一般に、水疱の形成を促す熱源を含む。
【０００７】
様々な装置は、微小移植片の生成および採取に利用可能である。例えば、Ｃｅｌｌｕｔｏｍｅ（商標）皮膚ハーベスターすなわち採取器は、Ｋｉｎｅｔｉｃ  Ｃｏｎｃｅｐｔｓ，Ｉｎｃ．（Ｓａｎ  Ａｎｔｏｎｉｏ、Ｔｅｘａｓ）から入手可能である。Ｃｅｌｌｕｔｏｍｅ（商標）システムは、減圧（真空）源、および任意選択的に加熱要素を提供するヘッドと、患者の皮膚の標的領域に配置されるように構成されたハーベスターとを含む。ハーベスターは、さらに、ヘッドとの封止係合を形成して、皮膚の標的領域が真空室（ｅｖａｃｕａｔｅｄ  ｃｈａｍｂｅｒ）内に含まれるようにするように、適合される。Ｃｅｌｌｕｔｏｍｅ（商標）ハーベスターは、さらに、負圧の存在下で皮膚の水疱が隆起し得る複数の孔を有する少なくとも１つの整列プレートと；皮膚の水疱が室内に形成された後でそれらを切り取るための少なくとも１つの切取面を有する切取プレートとを含む。
【０００８】
一般に、微小移植片ハーベスターは、装置から、切除された水疱を持ち上げるために支持体または基材に依存する。その後、基材はレシピエント部位に適用されるため、複数の微小移植片は、移植された組織として同化され得る。理想的には、移植片は、拡張して融合し、治癒プロセスを完了させる。
【発明の概要】
【０００９】
皮膚移植片の移植の最中に流体を管理するための方法および装置が開示されている。本発明の一態様では、皮膚移植片を移植するための吸収性基材であって、少なくとも１つの切除された皮膚移植片に接触し、かつドナー部位から除去するために前記移植片に係合するように適合された面と；囲い内に配置された吸収性材料を少なくとも部分的に取り囲むシーリング部材とを有し；皮膚接触面の少なくとも一部分が多孔質であり、かつ吸収性層と流体連通して流体を捕捉する、吸収性基材が開示されている。
【００１０】
本発明の一実施形態では、皮膚移植片を移植するための吸収性基材であって、少なくとも１つの切除された皮膚移植片に接触し、かつドナー部位から除去するために前記移植片に係合するように適合された面を有するベース層と；ベース層に周辺で接合されかつそれとの間に囲いを規定するシーリング部材と；囲い内に配置された吸収性材料とを含み、ベース層の少なくとも一部分が多孔質であり、かつ吸収性層と流体連通して流体を捕捉する、吸収性基材が開示されている。
【００１１】
いくつかの実施形態では、基材は、皮膚移植片採取装置の室内に位置決めされるように構成されたベース層を含み、かつ、任意選択的に、ベース層は、さらに、複数の皮膚移植片を同時に捕捉するように構成されている。
【００１２】
吸収性基材のベース層は、好ましくは、生体適合性材料、例えば、シリコーン、シリコーンゲル、軟質シリコーン、親水コロイド、ヒドロゲル、ポリウレタン、ポリウレタンゲル、ポリオレフィン、ポリオレフィンゲル、水素化スチレン共重合体、水素化スチレン共重合体ゲル（ｈｙｄｒｏｇｅｎａｔｅｄ  ｓｔｙｒｅｎｉｃ  ｃｏｐｏｌｙｍｅｒ  ｇｅｌ）、ゲル発泡体およびこれらの組み合わせからなる群から選択された材料を含む。いくつかの好ましい実施形態では、ベース層はシリコーンを含む。
【００１３】
いくつかの実施形態では、ベース層の皮膚移植片接触部分の平均厚さは、約５０ミクロン〜約１０ミリメートル、好ましくは場合によっては、約５００ミクロン（μｍ）〜約１０００ミクロン（μｍ）である。ベース層の皮膚移植片接触部分はまた、ハーベスターおよび／またはレシピエント部位の形状に一致するように、十分な可撓性を有する必要がある。例えば、ベース層の皮膚移植片接触部分の硬度は、約５ショアＯＯ〜約８０ショアＯＯとし得る。
【００１４】
本発明の別の態様では、基材は、さらに、移植片を係合するために、ベース層の少なくとも一部に関連付けられた接着剤を含む。複数移植片または「微小移植片」のハーベスターと一緒に使用するとき、基材は、さらに、ベース層の皮膚接触面上に接着剤部位のパターンを含み、各部位は、皮膚移植片採取装置によって隆起させられた対応する皮膚移植片に係合するように配置および構成され得る。例えば、基材は、ベース層の皮膚接触面の少なくとも一部分に印刷された接着剤部位のパターンを担持する。いくつかの実施形態では、接着剤は、アクリル接着剤を含み得る。
【００１５】
本発明の別の態様では、ベース層は、レシピエント部位から吸収性材料への流体輸送用の通路を提供するために、複数の開口部を含み得る。開口部（例えば、細孔）は互いに離間し得る。いくつかの実施形態では、開口部は全体的に円形である。開口部の平均的な横断面寸法は、約０．１ナノメートル〜約１ミリメートルに及ぶか、または好ましくは平均的な横断面寸法は、約１ナノメートル〜約１００マイクロメートルに及び得る。他の実施形態では、細孔は細長くても、または格子のようでもよく、およびそれらの短径方向寸法は、約０．１ナノメートル〜約１ミリメートル、または好ましくは約１ナノメートル〜約１００マイクロメートルに及び得る。
【００１６】
本発明の別の態様では、ベース層はパターン化されて複数の皮膚移植片捕捉部位を規定し、およびベース層は、さらに、少なくともいくつかの捕捉部位間に配置された細孔のネットワークを含む。ここでも、細孔（捕捉部位間に配置された）は、円形でも、または細長くてもよく、および平均的な横断面寸法（または細長い細孔の場合には短径方向寸法）は、約０．１ナノメートル〜約１ミリメートルに及ぶか、または好ましくは約１ナノメートル〜約１００マイクロメートルに及び得る。
【００１７】
さらに本発明の別の態様では、基材はまた、囲い内に配置されかつ吸収性材料に流体を分配するように適合された少なくとも１つのウィッキング層を含み得る。例えば、基材は、囲い内のベース層と吸収性材料との間に配置された少なくとも第１のウィッキング層を含み得る。第１のウィッキング層の代わりにまたはそれに加えて、基材は、囲い内の吸収性材料とシーリング部材との間に配置された１つ以上の追加的なウィッキング層（例えば、第２のウィッキング層）を含み得る。いくつかの実施形態では、第１および／または第２のウィッキング層は、ウィッキング層の面に沿って流体をウィッキングするすなわち吸い上げるように適合された粒状構造を有し得る。
【００１８】
いくつかの実施形態では、吸収性材料は複数の吸収性層であり、および追加的な吸収性層の１つ以上は、第１のウィッキング層と第２のウィッキング層との間に流体連通されて位置決めされている。基材はまた、吸収性層間を流体連通させて配置された少なくとも１つの中間ウィッキング層を含み得る。いくつかの実施形態では、第１のウィッキング層の周辺部分は、第２のウィッキング層の周辺部分に結合されて、第１のウィッキング層と第２のウィッキング層との間の吸収性層を取り囲む、ウィッキング層の囲いを提供し得る。
【００１９】
本発明の別の態様では、吸収性材料は、流体を吸収するように適合された親水性材料を含むことができ、およびシーリング部材は液不透過性である。例えば、シーリング部材は、不透水性のポリウレタン成分を含み得る。
【００２０】
代替的な実施形態では、別個のベース層と吸収性材料ではなく、ユニタリーの吸収性構造を用い得る。例えば、この実施形態による吸収性基材は、少なくとも１つの切除された皮膚移植片に接触しかつドナー部位から除去するために前記移植片に係合するように適合された面を有する吸収性材料を含み得る。吸収性材料は、さらに、吸収性材料用の囲いを取り囲みかつ規定しおよび皮膚接触面を除いて実質的に吸収性材料を封止するシーリング部材を含み；および吸収性材料の皮膚接触面の少なくとも一部分は多孔質であり、流体を捕捉する。
【００２１】
さらに本発明の別の態様では、基材は、さらに、減圧源に結合して、基材から、溜まった流体を抜き取るための少なくとも１つのポートを含む。ポートは、さらに、弁、例えば、逆止弁または一方向弁を含み、抜き取られた流体の逆流を防止し得る。ポートは、さらに、室内の吸収性材料または少なくとも１つのウィッキング層と外部流体レセプタクルすなわち受け器との間に流体連通をもたらす導管を含み得る。
【００２２】
別の態様では、基材は、皮膚移植片ハーベスター内に位置決めする前に基材を取り扱うために、少なくとも１つの取り外し可能なバッキングを含み得る。基材は、さらに、レシピエント部位に位置決めする前に基材を取り扱うために、少なくとも１つの取り外し可能なバッキングを含み得る。例えば、基材は、皮膚移植片ハーベスター内に位置決めする前に基材を取り扱うために、ベース層に関連付けられた少なくとも第１の取り外し可能なバッキングと、レシピエント部位に位置決めする前に基材および関連の皮膚移植片を取り扱うために、第２の取り外し可能なバッキングとを含み得る。
【００２３】
別の実施形態では、ベース層、接着剤、シーリング部材、第１のウィッキング層、第２のウィッキング層、吸収性層、および導管インターフェースを含む皮膚移植片の移植用基材が提供される。ベース層は、中心部分を取り囲む周辺と、周辺および中心部分を通って配置された複数のアパーチャとを含み、ベース層は、皮膚移植片移植部位とその部位を取り囲む組織とを被覆するように、適合されている。シーリング部材は、周辺および中心部分を有し、シーリング部材の周辺は、ベース層の周辺に近接して位置決めされて、シーリング部材の中心部分とベース層の中心部分とが囲いを規定するようにする。第１のウィッキング層および第２のウィッキング層は、それぞれ、囲い内に配置される。吸収性層は、第１のウィッキング層と第２のウィッキング層との間に流体連通されて位置決めされる。第１のウィッキング層の周辺部分は、第２のウィッキング層の周辺部分に結合されて、第１のウィッキング層と第２のウィッキング層との間の吸収性層を取り囲む、ウィッキング層の囲いを提供する。導管インターフェースは、シーリング部材に近接し、かつドレッシングと流体連通して位置決めされる。
【００２４】
別の態様では、基材またはドレッシングおよび減圧源を含む、皮膚移植部位を排出するためのシステムが提供される。基材またはドレッシングは、部位に減圧をもたらすおよび／または部位から抜き取られた流体を貯蔵するように適合されている。基材またはドレッシングは、ベース層、接着剤、シーリング部材、第１のウィッキング層、第２のウィッキング層、吸収性層、および導管インターフェースを含む。ベース層は、中心部分を取り囲む周辺と、周辺および中心部分を通って配置された複数のアパーチャとを有する。ベース層の中心部分は、移植部位に近接して位置決めされるように適合され、およびベース層の周辺は、移植部位を取り囲む組織に近接して位置決めされるように適合されている。さらに、ベース層の周辺は、移植部位を取り囲むように適合され、およびベース層のアパーチャは、部位、および移植部位を取り囲む組織と流体連通するように適合されている。いくつかの実施形態では、接着剤は、ベース層のアパーチャに収納され得るかまたは予め組み込まれ、移植部位にベース層を配置すると、接着剤を放出するようにし得る（２部品の下部バッキングが同様に用いられて、基材が皮膚移植片ハーベスターに接合されると下部バッキングの第１の（内側）部分が取り除かれ、続いて、バッキングの第２の外側部分が取り除かれて、移植部位における周辺での接着を容易にするようにし得る）。シーリング部材は、周辺および中心部分を有し、シーリング部材の周辺は、ベース層の周辺に近接して位置決めされて、シーリング部材の中心部分とベース層の中心部分とが囲いを規定するようにする。第１のウィッキング層および第２のウィッキング層は、それぞれ、囲い内に配置される。吸収性層は、第１のウィッキング層と第２のウィッキング層との間に流体連通されて位置決めされ得る。導管インターフェースは、シーリング部材に近接しかつドレッシングと流体連通して位置決めされる。減圧源は、導管インターフェースと流体連通して結合されて、ドレッシングに減圧をもたらすように適合される。
【００２５】
本発明の別の態様では、皮膚移植の最中に流体管理するための方法が開示されている。方法は、少なくとも１つの皮膚移植片を吸収性基材に接触させるステップであって、基材は、少なくとも１つの切除された皮膚移植片に接触しかつ係合するように適合された面を有するベース層、およびベース層に周辺で接合されかつそれとの間に囲いを規定するシーリング部材；および囲い内に配置された吸収性材料を含むステップと；レシピエント部位に基材を展開して、ベース層に係合された皮膚移植片が、レシピエント部位に接触するようにするステップと；基材をレシピエント部位に接触させた状態に維持して、移植片の移植および流体の除去を容易にするステップとを含み得る。
【００２６】
別の態様では、本発明の方法は、レシピエント部位に吸収性基材を維持することを含み、およびさらに、レシピエント部位における過剰な流体を、基材の吸収性材料に抜き取ることによって、除去することを含み得る。方法は、ベース層に複数の細孔を設けて、レシピエント部位と基材内の吸収性材料との間に流体連通路をもたらし、かつ、任意選択的に、基材内に少なくとも１つのウィッキング層を展開して、レシピエント部位から捕捉された流体を吸収性材料の異なる領域に分配することによって、実施され得る。
【００２７】
いくつかの実施形態では、方法は、さらに、減圧源に基材を結合して、流体の抜き取りを容易にするステップと、任意選択的に、吸収性材料から、溜まった流体を流体抜き取りレセプタクルへ排出するステップ、または吸収性材料と流体抜き取りレセプタクルとの間に一方向弁を展開するステップとを含み得る。
【００２８】
説明に役立つ実施形態の他の態様、特徴、および利点は、以下の図面および詳細な説明を参照することにより、明らかとなる。
【００２９】
添付図面と併せて以下の詳細な説明を参照することにより、本明細書のより完全な理解が得られ得る。
【図面の簡単な説明】
【００３０】
【図１】図１は、皮膚移植片の移植の最中に流体を管理するための吸収性基材の説明に役立つ実施形態の概略的で斜視的な底面図である。
【図２】図２は、図１の吸収性基材の概略的で斜視的な上面図である。
【図３】図３は、図１の吸収性基材の概略的な側面図である。
【図４】図４は、本発明による吸収性基材の部分断面図である。
【図５Ａ】図５Ａは、ベース層および吸収性材料がユニタリーすなわち一体的構造である、本発明による別の吸収性基材の部分断面図である。
【図５Ｂ】図５Ｂは、図５Ａの基材の概略的で斜視的な底面図である。
【図６】図６は、減圧源または外部流体排出レセプタクルに結合するためのポートを有する、本発明による吸収性基材の代替的な実施形態の概略的な側面図である。
【図７】図７は、吸収性基材と一緒に使用するための皮膚移植片ハーベスターの概略的で斜視的な上面図である。
【図８】図８は、ヘッド部品が取り除かれかつカッター機構が露出した状態の、図６の皮膚移植片ハーベスターの概略的で斜視的な上面図である。
【図９】図９は、皮膚移植片を捕捉するように、本発明による吸収性基材がハーベスターに展開された状態の、図６の皮膚移植片ハーベスターの概略的で斜視的な上面図である。
【発明を実施するための形態】
【００３１】
以下の説明に役立つ非限定的な実施形態の詳細な説明では、その一部をなす添付の図面を参照する。本明細書の範囲から逸脱せずに、他の実施形態を使用してもよく、および論理的、構造的、機械的、電気的および化学的な変更を行ってもよい。当業者が、本明細書で説明する実施形態を実施できるようにするのに必要ではない詳細に関する説明を避けるために、説明では、当業者に公知の特定の情報に関する説明を省略し得る。以下の詳細な説明は、限定と取られるべきではなく、説明に役立つ実施形態の範囲は、添付の特許請求の範囲によって定義される。
【００３２】
本明細書では、用語「微小移植片」は、幅または長さが１ミリメートルに満たない、一層好ましくは、１００ミクロン未満の皮膚移植片を含むものとする。微小移植片は、皮膚表面に対して平行な少なくとも１つの寸法が、１ミリメートルに満たない、好ましくは１００マイクロメートル未満、一層好ましくは、いくつかの適用例では１０マイクロメートル未満である、切除された皮膚セグメントである。最小の幅または長さは、好ましくは５００マイクロメートル未満、好ましくは１００マイクロメートル未満、または５０マイクロメートル未満、または１０マイクロメートル未満、または１マイクロメートル未満である。例えば、微小移植片は、皮膚表面に平行な平面において全体的に円形、卵形または長円形とし、および直径または長軸は、約１ミリメートル〜０．０１マイクロメートル、または約１００マイクロメートル〜約０．１マイクロメートル、または一層好ましくは約５０〜１マイクロメートルに及び得る。微小移植片はまた、一般に、表皮を少なくとも通って延在し、かつ好ましくはいくつかの適用例では、基底細胞の少なくとも１つの層を含む深さ寸法を有し得る。深さは、約５００マイクロメートル〜約０．１マイクロメートル、好ましくは約１００マイクロメートル〜約１マイクロメートルに及び得る。
【００３３】
本明細書では、用語「採取」は、皮膚移植片生成装置、例えば、吸引水疱微小移植片生成器などからの１つ以上の皮膚移植片の除去、ならびにそのような皮膚移植片の移植、および任意の中間ステップ、例えば皮膚移植片の培養、拡張、伸張、処理またはそうでなければレシピエント部位に移すための準備を含むものとする。
【００３４】
用語「全体的に円形」および「円形」は、本明細書では、丸い、卵形の開口部を説明する、またはそうでなければ、主要寸法（幅または直径）が形状の短径方向寸法（幅または直径）の５倍未満である、形が閉じた多角形と交換可能に使用される。好ましくは、主要寸法は、短径方向寸法の３倍未満、または２倍未満である。
【００３５】
本明細書では、用語「約」は、例えば、現実の世界での測定または取扱手順によって；これらの手順における故意ではないエラーによって；組成物または試薬の製造、供給源、または純度の差などによって生じ得る、数量におけるばらつきを指す。一般に、本明細書では、用語「約」は、述べた値の１／１０だけ述べた値または値の範囲よりも大きいまたは小さいこと、例えば±１０％を意味する。例えば、約３０％の濃度値は、２７％〜３３％の濃度を意味し得る。用語「約」はまた、ばらつきが、従来技術で実施された公知の値を含まない限り、当業者に等価であると認識されるばらつきを指す。用語「約」が先行する各値または値の範囲はまた、述べた絶対値または値の範囲の実施形態を含むものとする。用語「約」によって修飾されても、されなくても、特許請求の範囲に列挙する定量値は、列挙した値の等価物を含み、例えば、そのような値の数量にばらつきが発生し得るが、当業者によって等価であると認識される。
【００３６】
図面を参照すると、図１は、底部から見る吸収性基材１０の実施形態を示し、ベース層１２および取り外し可能な周辺バッキング１４を示す。ベース層１２は、さらに、皮膚移植片を捕捉する複数の部位１６を含む。ベース層１２全体または部位１６のみが処理され、例えば、接着剤が被覆され、ベース層表面の少なくとも複数の部分に粘着性を与えて、皮膚移植片の捕捉を助長し得る。ベース層はまた、多孔質であり、およびこの図示の実施形態では、複数の細孔１８が、移植片捕捉部位１６間に配置される。細孔１８は、全体的に円形とし得るか、または１つ以上の寸法において細長いとし得る。あるいは、ベース層の全表面は、多孔質とし得るか、または線状または十字状の切開または開口部を網状に張り巡らしたものすなわちネットワークを含み得る。細孔１８の形状またはサイズに関わらず、ベース層１２の多孔性は、皮膚セグメントからベース層１２を通る流体移動を可能にして、基材１０によって吸収されるように、十分である必要がある。
【００３７】
図２は、上部から見た図１の吸収性基材１０を示し、取り扱いのための、シーリング部材２０および第２の取り外し可能な周辺バッキング２２を示す。図３は、同じ吸収性基材１０の側面図を示し、ベース層１２、シーリング部材２０、および第１（底部）および第２（上部）の取り外し可能なバッキング１４および２２をそれぞれ示す。
【００３８】
図４は、内部構造の一実施形態を示す吸収性基材の部分断面図である。ベース層１６およびシーリング部材２０は、吸収性材料２４のための囲いを規定する。この図はまた、ベース層１２の底面（例えば、皮膚接触面）に担持される複数の微小移植片４を概略的に示す。ベース層の複数の細孔１８は、流体が浸入できるようにし、かつ吸収性材料２４への通路を形成する。任意選択的に、１つ以上のウィッキング層を使用して、捕捉された流体を、吸収性材料の異なる部分に分配し得る。図示の実施形態では、第１のウィッキング層２６はベース層に近接して配置され、および第２のウィッキング層２８はシーリング部材２８に近接して配置される。あるいは、ウィッキング材は、吸収性材料層と交互に層を形成し得るか（サンドイッチ式に）、または、ウィッキング材は、吸収性材料全体にわたって分配され得るか、またはそうでなければ吸収性材料に分散され得る。図示の実施形態では、第１および第２のウィッキング層２６、２８は、それぞれ、周辺で接合されて、吸収性材料を完全にまたは実質的に囲むシール３０を形成し得る。
【００３９】
さらに、図４は、移植を必要とする患者の皮膚２の表面の皮膚移植片移植部位に適用された、使用中の基材１０を示す。ベース層１２の底面には、複数の捕捉された皮膚移植片４があり、これら皮膚移植片は、基材１０が適用されると、皮膚２に接触して配置され得る。移植部位から吸収性材料２４への流体の移動および抜き取りは、点線によって示す。
【００４０】
図６は、ベース層１２と、シーリング部材２０と、負圧源４６および／または流体抜き取りレセプタクル４８に結合するためのポート４０とを有する吸収性基材の別の実施形態を示す。ポート４０は、さらに、導管４２、１つ以上のフィルター４７および／または逆止弁４４を含むことができ、例えば、吸収性材料が飽和状態に達するかまたは飽和状態に近くなる場合に、吸収性材料から外部流体レセプタクルまたは廃棄物処理部位まで流体を抜き取る（および、任意選択的に、一方向に流す）ことができるようにする。
【００４１】
図７は、本教示の様々な態様による吸収性基材と一緒に使用するための皮膚移植片ハーベスター５０の概略図である。この説明に役立つ実施形態では、採取器５０は、取り外し可能なヘッド部分５２およびハーベスター本体５４を含む。ハーベスター本体５４は、皮膚移植片が獲得される患者の皮膚のドナー部位、例えば内腿に配置され、かつ、例えば、ストラップ５６（仮想線で示す）を用いて適所に固定されるように適合されている。ヘッド５２は、さらに、ベースユニット（図示せず）の電力源に結合されるように適合されたカップラー６０によって給電されるヒーター（図示せず）を含み得る。ヘッド５２はさらにシール６３を含み、ヘッド５２および本体５４が接合されかつハーベスター５０が、例えば、ハーベスター５０をそのベースユニットに接続するカップラー６０によって真空ポンプまたは他の減圧源に結合されると、シールは減圧室を形成できるようにする。ヘッド５２は、さらに、減圧、熱またはそれら双方を加えることによって室内に皮膚の水疱が形成されるところを観察するために、１つ以上の窓５８を含み得る。ひとたび水疱が形成されたら、ヘッド５２は、例えば、減圧源を作動停止させかつ解除レバー６２を作動させ、それにより、シール６３を壊し、かつヘッド５２がハーベスター本体５４から持ち上げられることによって、除去され得る。
【００４２】
本発明との関連で有用なハーベスターに関する追加的な詳細は、２０１３年３月１５日出願の米国特許出願第１３／８３９，５１８号明細書；２０１２年１月９日出願の米国特許出願第１３／３４６，３２９号明細書；同様に２０１２年１月９日出願の米国特許出願第１３／４３６，３１８号明細書；２０１１年１月２７日出願の米国特許出願第１３／０１４，７３７号明細書；２０１０年８月６日出願の米国特許出願第１２／８５１，６５６号明細書；２０１０年８月６日出願の米国特許出願第１２／８５１，６２１号明細書；２０１０年８月６日出願の米国特許出願第１２／８５１，７０３号明細書；および２０１０年８月６日出願の米国特許出願第１２／８５１，６８２号明細書において見出され得る。上述の関連出願のそれぞれの内容全体を、参照することにより本書に援用する。
【００４３】
図８は、ヘッド５２が除去されかつ切取機構７４が露出した状態の、図７の皮膚移植片ハーベスター５０の概略図である。ハーベスター本体５４は、ベース部分７０、スレッド（ｓｌｅｄ）７２、およびアクチュエータハンドル８０を含み得る。切取機構７４は、ヘッド５２がハーベスター本体５４に接合されかつ作動されるときに熱によっておよび／または吸引を行うことによって皮膚の水疱が引かれる、最初は位置合わせされたすなわち整列した孔を備える複数のプレートを含み得る。ひとたび水疱が形成されたら、水泡は、切取機構７４によって切り取られ得る。例えば、図８に示す上部プレートの下側に、１つ以上の追加的なプレート、例えば、整列された孔を備えるカッタープレートおよび底部プレートが展開され得る。ハンドル８０を作動させる（例えば、引っ張り上げる）ことによって、スレッド７２は水平に動かされ、上部プレートの下側にあるプレートのうちの１つ、例えば「カッタープレート」（図示せず）も動き（スレッド７２に対するそのリンク結合ゆえに）、それにより、整列した孔７８を塞いで、隆起された水疱をドナーの皮膚から切り取る。
【００４４】
図９は、本発明による吸収性基材１０がハーベスター本体５４に展開されて皮膚移植片を捕捉する状態の、図７の皮膚移植片ハーベスター５０の概略図である。図示の実施形態では、使用者（例えば、臨床医）は、シーリング部材２０が上向きでかつベース層（図示せず）がカッター機構（図８に示すような）の上部プレートに接触する状態でバッキング２２を保持するハーベスターに、基材１０を置く。基材をそのように置くことによって、ベース層はまた、皮膚の水疱と接触する。好ましい１つの実施形態では、基材は、水疱を皮膚移植片に切り取るようにカッター機構が作動される前に（上述の通り）、そのように位置づけられる。他の実施形態では、基材は、皮膚から既に切り取られた移植片を捕捉するために、切り取り後、ハーベスター上に配置され得る。どちらの場合も、その後、基材はハーベスター本体５４から除去され、および図４に示すようにレシピエント部位に適用され得る。
【００４５】
図１〜４を参照して説明すると、ベース層１２は、中心部分を取り囲む周辺と、周辺および／または中心部分を通って配置される複数の細孔１８とを有し得る。ベース層１２の細孔１８は、任意の形状、例えば、円、正方形、星、卵形、多角形、スリット、複素曲線、直線形状、三角形、または他の形状などを有し得る。細孔１８は均一なパターンを有してもよいし、またはベース層１２上にランダムに分配されてもよい。各細孔１８は直径を有する。いくつかの実施形態では、細孔１８のそれぞれの平均直径は、約６ｍｍ〜約５０ｍｍとし得る。細孔１８はまた、下記でさらに説明するように、ドレッシング１２４の透湿度（ＭＶＴＲ：Ｍｏｉｓｔｕｒｅ  Ｖａｐｏｒ  Ｔｒａｎｓｆｅｒ  Ｒａｔｅ）を高めるようなサイズとし得る。
【００４６】
あるいは、ベース層は、流体透過性とし得る、例えば、液体または蒸気のいずれかの形態において、高透水性の材料、例えばポリウレタン、ポリエステル、ポリ塩化ビニル、塩化ビニルと酢酸ビニルの共重合体または塩化ビニルとエチレンの共重合体、ポリオレフィン、ポリアミド、ポリエチレン、ポリプロピレン、シリコーンまたはポリスチレン、ポリアクリル酸、ポリアクリレート、ポリビニルアルコール、およびそれらの共重合体などで構成され得る。透水性材料の例は、ポリウレタンフィルム、例えばＥｎｓｕｒｅ−ＩＴドレッシング（Ｄｅｓｅｒｅｔ  Ｍｅｄｉｃａｌ，Ｉｎｃ．）およびＰＯＬＹＳＫＩＮ（登録商標）透明ドレッシング（Ｋｅｎｄａｌｌ  Ｃｏｍｐａｎｙ、Ｂｏｓｔｏｎ，Ｍａｓｓａｃｈｕｓｅｔｔｓ）を含む。
【００４７】
高分子加工の最中に、マイクロサイズまたはナノサイズのボイド、例えば、平均幅が約０．１ナノメートル〜約１ミリメートルまたは約１ナノメートル〜約１００マイクロメートルに及ぶボイドを残すために後で溶解または蒸発される混入物を組み込むなどの様々な技術を用いて、ポリマーフィルムの透過性または多孔性を高め得る。いくつかの実施形態では、平均幅が約０．１マイクロメートル〜約１ミリメートルのマイクロ細孔が望ましいとし得る。他の実施形態では、平均サイズが約０．１〜約１００ナノメートル、好ましくは約１〜約１００ナノメートルまたは約１〜約１０ナノメートルのナノ細孔が、好都合とし得る。
【００４８】
別の実施形態では、透過性または多孔質ベース層は、織りまたは不織（例えば、マット状）繊維から形成され得る。繊維状ベース層は、マイクロファイバーおよび／またはナノファイバーを含み得る。いくつかの実施形態では、平均直径が約０．１〜約１０マイクロメートルのマイクロファイバーが望ましいとし得る。他の実施形態では、平均直径が約１〜約１００ナノメートル、好ましくは約２０〜約８０ナノメートルのナノファイバーであるが、場合によっては、直径約１〜約２０ナノメートルの繊維も好都合とし得る。
【００４９】
さらに別の実施形態では、ベース層は、発泡材料、例えば高分子加工の最中に、化学的なおよび／または物理的な発泡剤を使用することによって形成される、連続または開放気泡のポリマー発泡体とし得る。発泡ベース層は、十分な連続気泡構造を有して、発泡ベース層の全厚を通して流体通路が形成され、流体の抜き取りを容易にするようにする必要がある。連続気泡の平均幅は、約１ナノメートル〜約１ミリメートル、好ましくは場合によっては約１０ナノメートル〜約１００マイクロメートル、または約１００ナノメートル〜１０マイクロメートルに及び得る。発泡ポリマーは、平方インチ当たり約１〜１０００個の細孔、好ましくは場合によっては、平方インチ当たり約１０〜１００個の細孔を有し得る。好ましい発泡ポリマーは、空隙比が約１０〜約９０パーセント、または空隙比が２０パーセント、３０パーセント、４０パーセントまたは５０パーセントを上回るとし得る。
【００５０】
本明細書では、用語「多孔質」は、アパーチャまたは孔だけでなく、上述のような透過性および連続気泡の発泡体構造も含むことを意図する。
【００５１】
いくつかの実施形態では、ベース層１２は、好ましくは、本明細書で説明するように、皮膚移植片移植部位との流体シールをもたらすのに好適な軟質材料である。例えば、ベース層１２は、シリコーンゲル、軟質シリコーン、親水コロイド、ヒドロゲル、ポリウレタンゲル、ポリオレフィンゲル、水素化スチレン共重合体ゲル、ゲル発泡体、ポリウレタンおよびポリオレフィンなどの軟質独立気泡発泡体、ポリウレタン、ポリオレフィン、または下記の接着剤でコーティングされた水素化スチレン共重合体を含み得る。ベース層１２の厚さは、約５００ミクロン（μｍ）〜約１０００ミクロン（μｍ）とし得る。一実施形態では、ベース層１２の硬度は、約５ショアＯＯ〜約８０ショアＯＯとし得る。ベース層１２は、疎水性または親水性の材料を含み得る。
【００５２】
いくつかの実施形態では、ベース層１２は、疎水性コーティング材料とし得る。例えば、ベース層１２は、メッシュまたは多孔質材料、例えば、疎水性材料を備える織りの、不織の、成形された、または押し出されたメッシュをコーティングすることによって、形成され得る。コーティング用の疎水性材料は、例えば軟質シリコーンとし得る。
【００５３】
皮膚移植片を捕捉するおよび／または基材１０を移植部位において患者に接着するために使用される接着剤１７は、任意の医学的に容認できる接着剤とし得る。例えば、接着剤１７は、アクリル接着剤、ゴム系接着剤、高粘着性シリコーン接着剤、ポリウレタン、または他の接着剤物質を含み得る。いくつかの実施形態では、接着剤１７は、塗布量１５グラム／ｍ２（ｇｓｍ）〜７０グラム／ｍ２（ｇｓｍ）でアクリル接着剤を含む感圧接着剤とし得る。接着剤１７は、連続的なまたは不連続な材料層とし得る。接着剤１７の不連続性は、ベース層１２の細孔１８によってもたらされ得る。接着剤のアパーチャは、接着剤をベース層に適用した後、またはベース層に接着剤１７をあるパターンでコーティングすることによって、形成され得る。
【００５４】
基材１０の接着強さを制御するために使用され得る要素は、ベース層１２の細孔１８の直径および数、ベース層１２の厚さ、接着剤１７の厚さおよび量、および接着剤１７の粘着力を含み得る。接着剤１７の量の増加は、一般的に、基材１０の接着強さの増加に対応する。それゆえ、ベース層１２の接着剤コーティング部分のサイズおよび形態、ベース層１２の厚さ、および使用される接着剤の量および粘着力は、基材１０に所望の接着強さをもたらすために、変更され得る。例えば、ベース層１２の厚さは約２００ミクロンとし、および接着剤層１７の厚さは約３０ミクロンとし、および粘着力は２５センチメートル幅のストラップ当たり２０００グラムとし得る。
【００５５】
引き続き図１〜４を参照して説明すると、シーリング部材２０は、周辺および中心部分を有する。シーリング部材２０の周辺は、ベース層１２の周辺に近接して位置決めされ、シーリング部材２０の中心部分とベース層１２の中心部分とが囲いを規定するようにし得る。
【００５６】
シーリング部材２０は、組織部位６を被覆して、組織部位６と基材１０のシーリング部材２０との間に流体シールおよび密閉空間をもたらし得る。さらに、シーリング部材２０は、組織、例えば組織部位６を取り囲む表皮１０６の一部分を被覆し、流体シールをもたらし得る。
【００５７】
シーリング部材２０は、流体シールを可能にする任意の材料から形成され得る。流体シールは、特定の減圧源または関連のシステムから与えられた減圧を所望の部位に維持するのに適切なシールである。シーリング部材２０は、例えば、以下の材料：親水性ポリウレタン；セルロース系材料；親水性ポリアミド；ポリビニルアルコール；ポリビニルピロリドン；親水性アクリル；親水性シリコーンエラストマー；例えば、ＭＶＴＲ（インバーテッドカップ（ｉｎｖｅｒｔｅｄ  ｃｕｐ）技術）が１４４００ｇ／ｍ２／２４時間、および厚さが約３０ミクロンの、Ｅｘｐｏｐａｃｋ  Ａｄｖａｎｃｅｄ  Ｃｏａｔｉｎｇｓ（Ｗｒｅｘｈａｍ、Ｕｎｉｔｅｄ  Ｋｉｎｇｄｏｍ）からのＩＮＳＰＩＲＥ２３０１材；薄くてコーティングされていないポリマードレープ；天然ゴム；ポリイソプレン；スチレンブタジエンゴム；クロロプレンゴム；ポリブタジエン；ニトリルゴム；ブチルゴム；エチレンプロピレンゴム；エチレンプロピレンジエンモノマー；クロロスルホン化ポリエチレン；多硫化ゴム；ポリウレタン（ＰＵ）；ＥＶＡフィルム；コ−ポリエステル；シリコーン；シリコーンドレープ；３Ｍ  Ｔｅｇａｄｅｒｍ（登録商標）ドレープ；Ａｖｅｒｙ  Ｄｅｎｎｉｓｏｎ  Ｃｏｒｐｏｒａｔｉｏｎ（Ｐａｓａｄｅｎａ、Ｃａｌｉｆｏｒｎｉａ）から入手可能なものなどのポリウレタン（ＰＵ）ドレープ；例えば、Ａｒｋｅｍａ（Ｆｒａｎｃｅ）からのポリエーテルブロックポリアミド共重合体（ＰＥＢＡＸ）；または他の適切な材料の１つ以上を含み得る。
【００５８】
シーリング部材２０は、基材１０によってもたらされた密閉空間を、蒸気は出ることができるが液体は出ることができないようにし得る。シーリング部材２０は、例えば、２４時間当たり少なくとも約３００ｇ／ｍ２の高ＭＶＴＲの、可撓性の通気性フィルムとし得る。シーリング部材２０は、厚さが約１５ミクロン（μｍ）〜約５０ミクロン（μｍ）の、ある範囲の医学的に好適なフィルムを含み得る。他の実施形態では、蒸気移動が低いまたは全くないドレープをシーリング部材として使用できる。
【００５９】
囲い３１には流体管理アセンブリが配置され、および第１のウィッキング層２６、第２のウィッキング層２８、および吸収性層２４を含み得る。吸収性層２４は、第１のウィッキング層２６と第２のウィッキング層２８との間に流体連通されて位置決めされ得る。第１のウィッキング層２６は、第１のウィッキング層２６の表面に沿って流体をウィッキングするすなわち吸い上げるように適合された粒状構造（図示せず）を有し得る。同様に、第２のウィッキング層２８は、第２のウィッキング層２８の表面に沿って流体を吸い上げるように適合された粒状構造（図示せず）を有し得る。例えば、第１および第２のウィッキング層２６、２８は、流体を吸い上げ得るか、またはそうでなければ、第１および第２のウィッキング層２６、２８のそれぞれの表面に沿って横方向に輸送し得る。第１および第２のウィッキング層２６、２８の表面は、第１および第２のウィッキング層２６、２８のそれぞれの厚さに対して垂直とし得る。第１および第２のウィッキング層２６、２８に沿った流体の吸い上げは、吸収性層２４の表面領域にわたる流体の分配を高め、これにより、吸収効率を高め、かつ流体の閉塞に対して抗し得る。流体の閉塞は、流体が、吸収性層２４にわたってより均一に分配されるのではなく、例えば、吸収性層２４内の特定の個所に貯留することによって、生じ得る。第１および第２のウィッキング層２６、２８および吸収性層２４のラミネート状の組み合わせは、上述の通り適合されて、閉塞に抗する開放構造を維持し、それにより、例えば、組織部位６との流体連通を維持し得る。
【００６０】
基材１０は、限定するものではないが、特定の組織部位の治療に所望される通りの任意の数のウィッキング層および吸収性層を含み得る。例えば、吸収性層２４は、上述の通り第１のウィッキング層２６と第２のウィッキング層２８との間に流体連通されて位置決めされた複数の吸収性層２４とし得る。さらに、少なくとも１つの中間ウィッキング層が、複数の吸収性層２４間を流体連通させて配置されてもよい。上述の吸収性層２４と同様に、複数の吸収性層２４および少なくとも１つの中間ウィッキング層は、ウィッキング層の囲い内に位置決めされ得る。
【００６１】
一実施形態では、吸収性材料または層２４は、例えば、組織部位６からの流体を吸収するように適合された親水性材料とし得る。吸収性層１８４に好適な材料は、Ｌｕｑｕａｆｌｅｅｃｅ（登録商標）材、Ｔｅｘｕｓ  ＦＰ２３２６、ＢＡＳＦ  ４０２ｃ、Ｔｅｃｈｎｉｃａｌ  Ａｂｓｏｒｂｅｎｔｓ（ｗｗｗ．ｔｅｃｈａｂｓｏｒｂｅｎｔｓ．ｃｏｍ）から入手可能なＴｅｃｈｎｉｃａｌ  Ａｂｓｏｒｂｅｎｔｓ  ２３１７、ポリアクリル酸ナトリウム超吸収剤、セルロース系材料（カルボキシメチルセルロース、およびＣＭＣナトリウムなどのカルボキシメチルセルロース塩）、またはアルギン酸を含み得る。第１および第２のウィッキング層２６、２８に好適な材料は、本明細書で説明したように流体を吸い上げることができる粒状構造を有する任意の材料、例えば、Ｌｉｂｅｌｔｅｘ  ＴＤＬ２  ８０ｇｓｍなどを含み得る。
【００６２】
基材１０は、単一の箇所で製造されたプレラミネート構造、または上述の通り、単に互いに積み重ねられた個々の材料層とし得る。基材１０の個々の層は、流体管理に悪影響を及ぼすことなく、例えば、溶剤型または非溶剤型接着剤を使用することにより、または熱溶接により、互いにボンディングされ得るか、またはそうでなければ固定され得る。
【００６３】
一実施形態では、ベース層１２とシーリング部材２０とによって規定された囲い３１は、抗菌層を含み得る。抗菌剤を添加することにより、ドレッシング１０内での過度な細菌増殖の確率を低下させ、ドレッシング１０を長期間適所に留まらせることができる。抗菌性材料は、例えば、図１〜４に示すような基材１０の一部として含まれる追加的な層、または基材１０内の任意の好適な個所に配置された抗菌剤のコーティングとし得る。抗菌性材料は、例えば元素銀または同様の化合物を含み得る。
【００６４】
代替的な実施形態では、ベース層および吸収性材料は、皮膚接触機能および流体吸収機能の双方をもたらす単一の一体的要素で置き換えることができる（ウィッキング材有または無で）。図５Ａおよび図５Ｂは、吸収性ベース２４Ａ、任意選択的な上部ウィッキング層およびシーリング部材２０を含むそのような基材１０Ａを示す。基材は、さらに、皮膚移植片を収集するために基材を患者の皮膚および／またはハーベスターに固定するために、発泡またはスポンジ面を有しない周辺部分を含み得る。上述の通り、バッキングは、取り扱いのために、この周辺部分の上側を覆って配置され得る。吸収性ベースは、皮膚に接触させて配置されると流体を引き付けて吸収することができる発泡ポリマー（例えば、スポンジ）としてもよく、および任意選択的に、さらに、上述のような減圧源に結合するためのポート４０（仮想線で示す）を含み得る。
【００６５】
これに関連して、別個のベース層の代わりに皮膚接触面を有する吸収性材料は、スポンジ材、例えば、弾性開孔構造ポリマー、例えばセルロース、コラーゲン、ゼラチン／アルギン酸、ポリエステル、ポリエーテル、ポリ酢酸ビニル、ポリビニルアセタール、ポリウレタン、ゼラチン／ヒアルロン酸塩またはキトサン／ヒアルロン酸塩、ポリビニルアルコール、およびポリアクリレートとし得る。スポンジ材は、流体輸送のために、相互接続した細孔のネットワークを有し、その平均的な横断面幅は、０．０５ミリメートル（ｍｍ）〜約５ミリメートル（ｍｍ）、いくつかの実施形態では、一層好ましくは約０．１ｍｍ〜約１ｍｍに及び得る。
【００６６】
図５Ｂはまた、図示の実施形態のいずれかにおいて使用され得る本発明の別の特徴、すなわち、分割された下部バッキングを示す。基材がハーベスターに適用されて皮膚移植片を捕捉すると、バッキング１４Ａの内側部分は除去され得る。バッキング１４Ａの真下にある面は、ハーベスターに結合するための接着剤を含み、およびバッキング１４Ｂの第２の部分は、移植まで適所に留まり、移植時に除去されて、皮膚と接触させるために面の別の部分（および任意選択的に接着剤）を露出させ得る。当然のことながら、バッキング１４Ａおよび１４Ｂの機能（または位置）は、逆にできる。様々な他の配置構成を同様に用いて、採取時および移植時の双方において、基材を固定できるようにする。
【００６７】
ここで図６を参照して説明すると、減圧源に結合するためのポート４０は、シーリング部材２０に近接しかつシーリング部材２０のアパーチャ（図示せず）を通して吸収性材料２４と流体連通して、減圧源４６から基材１０へ減圧をもたらすように位置決めされ得る。ポート４０は、医療グレードの軟質ポリマーまたは他の曲げやすい材料を含み得る。非限定的な例として、ポート４０は、ポリウレタン、ポリエチレン、ポリ塩化ビニル（ＰＶＣ）、フルオロシリコーン、またはエチレン−プロピレンなどから形成され得る。説明に役立つ非限定的な一実施形態では、ポート４０は、ＤＥＨＰフリーＰＶＣから成形され得る。ポート４０は、成形、キャスティング、機械加工、または押し出しによるなど、任意の好適な方法で形成され得る。さらに、ポート４０は、統合ユニットとして形成されてもまたは個々の構成要素として形成されてもよく、かつ、例えば、接着剤、溶接または機械的な結合によって基材１０に結合され得る。
【００６８】
ポート４０はまた、１つ以上のフィルター４７、例えば、組織部位６から、密封された基材１０の外へ臭気が通過しないようにする臭気フィルター、または疎水性フィルターを含み得る。フィルター４７は、導管４２内にまたは他の好適な個所に配置されて、減圧源４６と基材との間の流体連通が、フィルター４７を通して設けられようにする。別の実施形態では、フィルター４７は、大気とまたは減圧源４６と流体連通するアパーチャ（図示せず）などの、基材１０の任意の出口箇所に位置決めされ得る。フィルター４７はまた、移植片の移植部位６と流体連通する基材の任意の好適な個所に位置決めされ得る。
【００６９】
例えば、臭気フィルター４７は、Ｃｈｅｍｖｉｒｏｎ  Ｃａｒｂｏｎ，Ｌｔｄ．（Ｌａｎｃａｓｈｉｒｅ、Ｕｎｉｔｅｄ  Ｋｉｎｇｄｏｍ）（ｗｗｗ．ｃｈｅｍｖｉｒｏｎｃａｒｂｏｎ．ｃｏｍ）から製造されているものなどの織りの炭素布フィルターなど、炭素材を層または微粒子の形態で含み得る。疎水性フィルター４７は、液体不透過性および蒸気透過性である材料、例えば、名称ＭＭＴ−３１４でＷ．Ｌ．Ｇｏｒｅ  ＆  Ａｓｓｏｃｉａｔｅｓ，Ｉｎｃ．（Ｎｅｗａｒｋ、Ｄｅｌａｗａｒｅ、Ｕｎｉｔｅｄ  Ｓｔａｔｅｓ）で製造されている材料、または同様の材料で構成され得る。
【００７０】
引き続き図６を参照して説明すると、減圧源４６は、基材１０および密閉空間３１に減圧をもたらす。減圧源４６は、本明細書で説明するように減圧をもたらすための任意の好適な装置、例えば、真空ポンプ、壁吸込口、または他の減圧源などとし得る。減圧源に関する追加的な詳細は、例えば、２００６年１２月２８日出願の米国特許出願第１１／６４６，９１８号明細書、２００７年６月４日出願の米国特許出願第１１／８１０，０２７号明細書；２０１０年３月１５日出願の米国特許出願第１２／６６１，２９３号明細書；および２０１１年３月２１日出願の米国特許出願第１３／０５２，８７３号明細書において見出され得る。これら特許出願それぞれの開示全体を、参照することにより本書に援用する。
【００７１】
本明細書では、「減圧」は、一般的に、治療が施されている組織部位における周囲圧力を下回り得る圧力を指す。一般に、この減圧は、大気圧を下回り得る。減圧はまた、組織部位における静水圧を下回り得る。他で指定しない限り、本明細書で述べる圧力の値はゲージ圧である。組織部位に行われる減圧の量および性質は適用例に従って変動し得るが、減圧は、典型的には、−５ｍｍＨｇ〜−５００ｍｍＨｇ、およびより典型的には、−１００ｍｍＨｇ〜−２００ｍｍＨｇの治療範囲にある。
【００７２】
送られる減圧は、一定であってもまたは変動してもよく（パターン化またはランダム）、かつ連続的にまたは断続的に送達され得る。用語「真空」および「負圧」を使用して、組織部位に適用される圧力を説明し得るが、組織部位に加えられる実際の圧力は、通常、完全な真空に関連付けられる圧力を上回り得る。本明細書での使用と一致して、減圧または真空圧の上昇は、一般に、絶対圧の相対的な低下を指す。減圧の上昇は圧力の低下に対応し（周囲圧力に対してより負になる）、および減圧の低下は圧力の上昇に対応する（周囲圧力に対してあまり負ではない）。
【００７３】
内部ルーメンを有する導管４２は、減圧源４６と基材１０とを流体連通させて結合され得る。導管インターフェース４３は、ドレッシングと流体連通して結合され、かつ導管４２と基材１０とを接続するように適合されており、減圧源４６との流体連通をもたらし得る。導管インターフェース４３は、例えば、接着剤、溶剤型または非溶剤型ボンディング、溶接、または締まり嵌めによってなど、任意の好適な方法で、導管４２に流体的に結合され得る。シーリング部材２０のアパーチャ（図示せず）は、基材と導管インターフェース４３との間の流体連通をもたらし得る。一実施形態では、導管４２は、導管インターフェース４３を使用することなく、シーリング部材２０のアパーチャ（図示せず）を通して基材１０に挿入されて、減圧源４６との流体連通をもたらし得る。減圧源４６はまた、基材１０および／またはシーリング部材２０と流体連通して直接結合され得る。導管４２は、例えば、可撓性のポリマーチューブとし得る。導管４２の遠位端部は、減圧源４６に取り付けるための公知の継手のいずれか１つを含み得る。
【００７４】
本明細書は、いくつかの説明に役立つ非限定的な実施形態に関連して利点を開示するが、添付の特許請求の範囲で定義されるような本明細書の範囲から逸脱せずに、様々な変更、代替、置換、および修正をなし得る。さらに、いずれか一つの実施形態に関連して説明された任意の特徴はまた、任意の他の実施形態にも適用可能とし得る。
【図１】
2019048104.tif 000003
【図２】
2019048104.tif 000004
【図３】
2019048104.tif 000005
【図４】
2019048104.tif 000006
【図５Ａ】
2019048104.tif 000007
【図５Ｂ】
2019048104.tif 000008
【図６】
2019048104.tif 000009
【図７】
2019048104.tif 000010
【図８】
2019048104.tif 000011
【図９】
2019048104.tif 000012